(57)【要約】      （修正有）【課題】地震の震動による変動の周期を自動調節して、地震の震動を建築物に伝達せずに、建築物の破壊や倒壊を防ぐ発電ビル免震台脚を提供する。【解決手段】地面８に置いた安定器１６、前記安定器１６に嵌めた球１、前記球１の上面に嵌められた円柱筒２よりなる免震台脚１８を用い、地震の震動を運動エネルギーに転換し、免震を行う。さらに、前記円柱筒２にタービンブレイド１０を設け、このタービンブレイド１０を風力又は水力で回転させて発電を行う。【選択図】図１
2014122530.tif 000002
【特許請求の範囲】
【請求項１】
当該免震台脚及び津波防御台脚は、地表に立てた台脚と台脚内のフランジ管を一体化した上部台から降ろした柱棒を、容器の内部の管に鎖又はロープを単独で納めて、台脚内の容器の蓋から容器の内壁に沿って地震の振動を動力として上下運動する移動台の上面に穴を加工して鎖又はロープで直接穴を埋めてその上に積上げた前記柱棒の後端を降ろして、容器中の移動台の底面に丸天井を加工した穴を球の上から上半球に被せて、移動台と球を通して上部荷重を地表に置いたボールベアリング等の安定器の穴に嵌めた球の底面で地表に接触させて地面に伝えると共に、地震の振動の動力で前記球を空転させたり上下運動させて地震の振動のエネルギーを球の運動エネルギーに転換して、消滅させるか又は削減させた後、地震の振動力を減少した上で建物に振動力を伝播する免震台脚です。
【請求項２】
上記請求項（１）で、津波又は液状化の発生の際、押寄せた水の丈が、上部台裏から水底迄の距離より大きい場合、津波又は液状化の上昇水力で上部台の底面を押上げて上部台と一体化した柱棒を台脚内の容器から抜去って上部台を水面に浮上させ、管内の鎖又はロープが台上に据えられた滑車に容器内部から鎖又はロープを引張上げて滑車を回転させ乍、上部台上に鎖又はロープを降ろして、前記台上に開けられたもう一つの穴を通って水中を潜り、水底又は土中にある錘に固く繋げて、上部台が水に流されないようにした水面上の台上の建物の塀又は船舶に擬した舷と相俟って、水の建物への浸水を防ぐ免震及び津波防御台脚です。
【請求項３】
当該免震及び津波防御台脚は、建物の新設又は既設に拘らず、建物の床下で台を支える支柱に、当該免震及び津波防御台脚を置換えるだけで、台脚上に建てられた建物を免震化又は津波防御用建物に改築することが可能で、例えば、既設の建物で、床下台の支柱の長さが、当該台脚の高さより長い場合は、支柱を削るか、又は、支柱の下の地面を掘って、従来の支柱が地面に着かないようにするだけで、従来の建物を免震化又は津波防御用建物に改築することが可能な為、安価なコストで、原子力発電プラントやオイルタンク及び空母に範を取る飛行場の建設用地確保や沿岸の工業用地や市街地建設化の用地の確保が極めて経済的、且つ、技術的視野に基づいて安定して使用が可能な免震及び津波防御台脚です。
【発明の詳細な説明】
【背景技術】
【０００１】従来の技術は、建造物の部材を部材間又は地面と建物との間に固く結合することによって、地震の振動に対して建物の破綻を防御する対策とした。この為、建物と地面に杭を打ち込んで免震又は耐震の有効な手段とした。然るに、震源から何粁米の地中を立ち上がる振動を、杭の側面の摩擦力だけで抑え込もうと目論むのは無理であり、一定以上の振動の地震に対して建物の屋内外の振動を抑え込むことがは不可能でした。  又、従来の装置には、特別な津波或いは液状化の為の安全対策は施していませんでした。
【当該技術】
【０００２】当該技術は、上部台の上に建てた建物の台を支える台脚に集中する重力を伝播する台の中で摩擦力の一番小さな形状である球を地面に置いた安定器の穴に嵌めて球の底面で地面に接触させ、地震の発生の際、地中の震源域から伝わる振動を動力として、球を空転させたり上下運動させて、地震の振動エネルギーを球の運動エネルギーに転換して、予め、振動力を減少させた後で、地震の振動を建物に伝達するので、当該免震及び津波防御台脚の免震性能は大きいです。又、津波又は地面の液状化の発生の際は、台脚から津波又は地面の液状化の水力で、上部台と一体化した柱棒を繋いだ状態で鎖又はロープを管に納めた儘の状態で容器から抜き出して柱棒諸共台を水面に浮上させて、上部台に据えた滑車に鎖又はロープを載せて、滑車の車輪を回転させて台上に降ろした鎖又はロープを、台上に開けたもう一つの穴に通して水中を潜らせて水底又は土中の錘と固く結んで、水面上の台が津波又は地面が液状化した水に流されないようにした台上の建物の塀又は、台を船舶に擬した舷によって建物への浸水を防ぐ構造の免震及び津波防御台脚です。
【図面の簡単な説明】
【０００１】
【図１】当該免振及び津波防御台脚の断面図の一例
【符号の説明】
【０００２】１．球、          ２．移動台、    ３．安定器、      ４．安定器の穴、
５．容器の蓋。    ６．容器、７．固定用小ネジ、８．柱棒と一体化した上部台、
９．柱棒、        １０、鎖又はロープ    １１．移動台の穴          １２．建物
１３．フレキシブル配管      １４．塀又は舷、      １５．地表、
１６．台脚内のフランジ管      １７．滑車      １８．台上に開けたもう一つの穴、
１９．滑車が鎖又はロープを引張り上げる為の台上の穴、  ２０．水底又は土中の錘、
【発明の詳細な説明】
【０００３】当該免震台脚は、地表（１５）に置いた安定器（３）の穴（４）に嵌めた球（１）を安定器（３）の下の地面（１５）に接するように嵌めて、地震の発生の際、地震の振動を動力として、地震の振動エネルギーを球（１）の運動エネルギーに転換して、球（１）を円運動や上下運動させて、運動を通じてエネルギーを削減した上で地震の振動を建物（１２）に伝達することを免震化の手段とした免震台脚で、地表（１５）に置いた安定器（３）に開けた穴（４）に球（１）を載せて、柱棒と一体化した上部台（８）上の建物（１２）を建てて小ネジ（７）等で固定して上面に穴を開けた移動台上（１１）に直接積重ねた鎖又はロープ（１０）の上に柱棒（９）を降ろして上部荷重を支え、移動台（２）の底面に刳り抜いた丸天井の穴を球（１）の上半球に被せた移動台（２）と安定器（３）を通して地面（１５）に伝え、地震が発生する際、地震の振動を動力として、球（１）の空転や上下運動の運動エネルギーに転換して、運動を通してエネルギーを削減した後、減少した地震の振動を建物（１２）に伝播する免震台脚です。更に、津波や地面の液状化が発生した水の水深が、地表と上部台の間の距離より長い場合、前記柱棒（９）を津波や液状化によって生じる上昇水圧が容器（６）から柱棒（９）を抜去って一体化した上部台を水面上に浮上させ、上部台上に据えた滑車（１７）に内管（１６）に納めた鎖又はロープを引張り上げた滑車を回転させて上部台上に降ろして、台上に開けたもう一つの穴（１８）を通して水中を潜らせて、水底又は土中の錘（２０）と固く締結し、水面の上部台が水に流されないように元の位置に留めた儘、塀又は舷（１４）によって建物（１２）への水浸を防止する機能を備えた免震及び津波防御台脚です。当該免震及び津波防御台脚は、新築又は既築の建物に拘らず、建物を支える台の支柱を当該免震及び津波防御台脚に替えるだけで、上部の建物を免震化及び津波防御用の建物に改築可能です。又、当該免震及び津波防御台脚の排管（１３）にはフレキシブル排管が適正と考えます。
【図１】
2014122530.tif 000003
【手続補正書】
【提出日】平成25年2月4日(2013.2.4)
【手続補正１】
【補正対象書類名】特許請求の範囲
【補正対象項目名】全文
【補正方法】変更
【補正の内容】
【特許請求の範囲】
【請求項１】
当該津波防御免震台脚は、地面に載せた安定器上の穴に球の底面を嵌めて、安定器を突き抜けた球の底面で地面と接触させ、地震の振動力を動力として球を回転又は円筒を上下運動させ、地震の振動エネルギーを球と円筒との運動エネルギーに転換させて、平面台の上に建設した建築物に地震の振動を建物に伝達することなく、免震脚内で地震動を吸収する構造で、前記平面台に上端を固定した柱棒を下部の円柱の底面に前記球の上半球の形状を刳り抜いた穴にスッポリ被せた円筒台表面に穴を開けて、繋がった一本の鎖を前記柱棒内の穴に油等の潤滑剤を塗った錨を連結して、前記柱棒内の長さを食み出た鎖を前記柱棒内のパイプに詰めて、上からの荷重を柱棒を通して円柱の台から下部の球に伝え、更に、安定器やボールベアリングを通して地面に荷重を傳えるので、柱棒の強度を予め、調節可能で、地震の振動を球の回転運動や円筒の上下運動に転換して、前記柱棒を潤滑剤を塗った鎖の塊で支えるので、地震の左右及び上下動を球の運動に転換して消滅させるので、建物への振動を遮断することを免震の手段とする免震台脚で、更に、津波の水流による衝撃を平面台の下に地面に離して垂直に置いた板に水流を当てて水圧の向きを上に転換して平面台を水面に押上げる力に転換して、平面台上に据えた滑車で鎖を水底の錨又は錘に繋いで津波の水流に水面の平面台を元の位置に留めることにより、津波の破壊を防御する津波防御免震台脚です。
【請求項２】
当該免震及び津波防御台脚は、上部台に柱棒の先端を固定した台から垂直に降ろした柱棒の下端を、地面に置いた安定器の穴に球を嵌めて、球の底面で地面に接する球の底面に、円柱内の内壁に沿って上下運動をする円筒台の底面に、球の上半球の形に掘った穴に球にスッポリ被せた円筒の上面に掘った穴に柱棒内のパイプ内に複数の鎖を一本に連結した鎖を嵌めて、更に柱棒内のパイプの長さより長い余剰の鎖を円筒内の容器内に積み重ねて、その上に前記柱棒を内部のパイプに繋いだ状態で油等の潤滑剤を塗った鎖を嵌めた余剰の長さの鎖を前記柱棒から食み出させて、柱棒の周囲に積重ねた鎖の山に降ろして上部荷重を地面に伝え、上部台上に固定して据えた滑車に鎖を載せて、前記柱棒内部のパイプ内に鎖を繋いだ状態で、津波の水流を平面台の下に水を引き入れて、南極大陸の氷山が底面に引き入れた海水に持ち上げられて海に流されるように水底面に対して垂直な地面から離れて上部平面台に連結した板に水流を当てて、水流を一旦止めて水流の方向を上方に向きを変えて、上部平面台を押上げて、上部平面台に固定した柱棒を前記円筒の容器から押上げて、上部平面台の柱棒諸共容器内の円筒から抜去って、平面台を水上に浮上させて、鎖を載せた滑車を平面台に降ろし、平面台に開けたもう一つの穴を通して鎖を再び、水中に潜らせ、水底の錨か錘に固定して、津波の水流に前記平面台が流されないように平面台を水上に固定するので、津波の波動の上下の大きさに影響されず鎖の長さだけを十分に確保しておけば、全て自動的に、津波に対して流されずに平面台上に建てた建物を元の位置に留めることが可能且つ、安価な津波防御免震台脚です。
【請求項３】
当該津波防御免震台脚は、新設又は既設の建物に拘らず、建物を支える床下支柱を当該津波防御免震台脚に差替えるだけで、建物を免震化及び津波防御用建物に改造することが可能で、台脚の底面の球をボールベアリング等の安定器の穴に嵌めて球の底面を地面と接触させて、台脚の上部荷重を地面に伝える傍ら、球の上半球を台脚内の容器の底面に設けた丸天井の穴に被せて、容器中の台座の上に積重ねた鎖に柱棒の下端を降ろして、上部荷重を地面に伝える一方、地震が発生する際、地震の振動エネルギーを球の運動エネルギーに転換して、球の自転運動や円筒の上下運動に地震の振動エネルギーを予め消滅させて、地震の振動を建物への伝達するのを遮断すると同時に、平面台下に地面に離して垂直に立てた板に水底に平行に流れる津波の水流を当てて、水流方向を地面に垂直上方に転換することで、上部平面台に先端を固定した柱棒を鎖諸共抜去って、台上に鎖を載せた滑車の車輪を回転させて、再び引上げた余剰の鎖を台上に垂らし、台上に開けたもう一つの穴に鎖を水中に潜らせて、水底の錨や錘に御固定して上部平面台を水上に押上げ、津波の水流で平面台上に建築した建築物を恰も、冲の船舶が津波に流されないように水面に固定した津波防御免震台脚です。従って、簡単な施工と安い費用で複数の平面台を寄せ集めるだけで市中の古い建物の再構築や沿岸の土地の有効利用による市街化や、工業用地化及び原発プラント建設用地や燃料等の備蓄タンクの免震化及び飛行場用地の確保を可能にする経済的、且つ、簡便な津波防御免震台脚です。
【手続補正２】
【補正対象書類名】明細書
【補正対象項目名】全文
【補正方法】変更
【補正の内容】
【発明の詳細な説明】
【背景技術】
【０００１】従来の免震及び耐震建築物の床下台脚は、建築物の床台に支柱上部を固底して建築物等の上部荷重を支えると同時に、床下地面に支柱を地下に差込んで支柱を地表に強固に固定し、振動に対して支柱上の建築物の破壊を防御する手段として使用して来ました。然し乍、この工法で施工された床下台脚は、地面と床下支柱が固着している為、地震の振動の部材間の伝達効率が高くなり、地震の揺れが建物に大きく伝わり建物への振動が増大するので、強大な振動に対する建築物が破壊され易い構造です。
当該津波防止免震台脚【０００２】当該津波防御免震台脚は、地面上に台脚の安定器を置いて、その安定器の表面に開けた穴に台脚の底面の球を嵌めて、地面と球の底面と接触させて、地震の振動の動力で球を回転運度や上下運動させて、地震の振動エネルギーを削減させ、台上に建設する建物に地震の振動が伝達されない構造で、更に、津波が押寄せて水深が同免震台脚の丈を超える場合、平面台上に水底に垂直に地面から離れて板を立て、水底に平行な津波の水流を板に当てて、恰も、南極大陸の氷が下に海水を導入することによって氷山を海面に浮上させて海に押出すように、津波の水流を上方に方向転換して、平面台を水上に押上げて、台脚の容器から柱棒を鎖を一列に繋いだ儘抜去って、上部台を水面上に浮上させて、台上の建物への水の浸入を防ぎ、台上に設立した滑車に鎖を載せて、滑車を回転させて柱棒の長さより長い余剰の鎖を平面台上に降ろし、台上のもう一つの穴から鎖を潜らせて再度、水中に降ろし水底の錨又は錘と繋いで水上の上部台の流失を防ぎ、台を水面に浮かせて上下運動させ乍、台上に建てた滑車を回転させて鎖の長さを調節し、建物に水が浸入するのを防ぎ、地震の振動や津波に建物に浸水されないように津波や地震から建物が破壊されないような構造の津波防御免震台脚です。
【図面の簡単な説明】
【０００３】
【図１】当該免震及び津波防御台脚の断面図の一例
【符号の説明】
【０００４】１．球  ２．移動台  ３．ボールベアリング等の安定器中の小球、  ４．安定器の外枠、  ５．台脚の中の容器の外壁，  ６．柱棒，  ７．固定用の小ネジ，  ８．上部台，  ９．柱棒の幹，  １０．鎖、  １１．移動台表面に加工した穴、  １２．建物、  １３．津波水流の上方への方向転換用板  １４．建物塀  １５．地面、  １６．柱棒内のパイプ  １７．滑車、  １８．台の鎖用穴、  １９．台脚、  ２０．錘、
【発明の詳細な説明】
【０００５】当該免震台脚は、地震による建物（１２）への振動と津波の水流による衝撃から建物（１２）の破壊を防御する建物（１２）を建設する平面台（８）を支える台脚（１９）に関する発明で、台脚（１９）の底面の球（１）を安定器（４）の穴に嵌めて、底面が地面（１５）に接触させた球（１）の上半球に容器（５）中の移動台（２）の裏面に加工した丸天井をスッポリ被せ、移動台（２）の上面に掘った穴（１１）の上に積重ねた鎖（１０）の上に、建物（１２）の平面台（８）に柱棒（６）を小ネジ（７）等で固定して、柱棒（６）を台脚（１９）内の移動台（２）の上に鎖（１０）を積重ねた中に突き入れて、上部荷重を折畳んだ鎖（１０）から移動台（２）と安定器（４）に嵌めた球（１）の底面を通して地面（１５）に伝える傍ら、地震の発生時に、地中より地表（１５）に押上げる振動力で、安定器（４）に嵌めた球（１）と移動台（２）及び鎖（１０）と容器（５）から柱棒（６）諸共に柱棒（６）を抜去って、上部台（８）を水面に押上げて、上部台（８）に固定した滑車（１７）を回して振動の上昇力を吸収するので、平面台（８）上の建物（１２）に振動が波及することが無く、建物（１２）内の部材間の強固な結束力を害わないで振動を容器（５）内で吸収する構造の台脚（１９）で、底面で球（１）を嵌める安定器（４）の中の小球（３）は、球（１）を水平軸の元の位置に留めた儘、球（１）の自転を促進するのに貢献する部材であり、この振動台脚の特徴は、新設及び既設に拘らず、建物（１２）の支柱に当該津波防御免震台脚（１９）を差替えるだけで、簡単に通常の建物（１２）を免震及び津波防御用の建物（１２）に改築することが可能です。即ち、既設の建築物（１２）の床板の裏に当該津波防御免震台脚（１９）を固定した後、既設の床板の支柱を切断して取っ払うか、同支柱の底が地面に届かないように下の地面を掘って、地震の振動が既設の建物に伝わらないように改造することで、差替えた当該津波防御免震台脚に改築することが可能な工法で、地震の振動や津波の衝撃を当該台脚（１９）の底面の球の上下運動や回転運動及び滑車（１７）による鎖（１０）の円運動に転換することによって、地震の振動エネルギーを自然消滅させ、津波の流速を方向転換する板（１３）に当てて、上方に水圧を向け、上部台（８）を水面に押上、柱棒（１９）諸共鎖（１０）を抜去って滑車（１７）を回転させて、上部台（８）上に鎖（１９）を降ろし、鎖（１０）を台上（８）のもう一つの穴（１８）を通して再度、水中に潜らせ、水底の錨（２０）又は錘（２０）に連結して、水上に押上げた上部平面台（８）とその上に建設した建物（１２）に浸水を防御する原理の津波防御台免震脚です。
【手続補正３】
【補正対象書類名】図面
【補正対象項目名】全図
【補正方法】変更
【補正の内容】
【図１】
2014122530.tif 000004
【手続補正書】
【提出日】平成25年3月19日(2013.3.19)
【手続補正１】
【補正対象書類名】特許請求の範囲
【補正対象項目名】全文
【補正方法】変更
【補正の内容】
【特許請求の範囲】
【請求項１】
当該津波防御免震台脚は、地面に載せた安定器の穴に、台脚柱の底面に開けた上半球形状に掘った穴に球を嵌めて、その球の下半球が安定器中の穴を突き抜けて、球の底面で地面と接触し、地震の振動を動力として、球を回転又は、球に被せた断面が円又は多角形の台の表面上に載せた土砂又は連結した鎖等の充填物を、縦揺れの地震動の場合、柱棒に沿って上下運動させ、地震の振動エネルギーを球の回転運動や円柱台やその周辺の充填物の上下運動に変換することによって、運動を通して地震動のエネルギーを円柱台の上下運動のエネルギーに変換させて消却させ、台脚が支える台上に建設した建築物に、台脚内の地震の振動の伝達を遮断することを免震技術の手段とする免震台脚で、水底より水上の台板の丈の長さが長い場合は、台板に柱棒の内部の管柱の内壁に前記鎖を納めて一体化して前記水面上の台を鎖を水底の錘に結び付て抜去り、台に固定した滑車で鎖を水面上に引張上げ、柱棒を抜き取って台を水面上に浮上させ、一方、水面の高さが前記台柱より短い場合、台に固定した柱棒の外壁に沿って充填物を水の丈の変動に応じてを上下運動させると同時に、下部の台脚の柱管の内壁に沿って台柱を上下運動させて、台柱の底面に球の上半球の形状に開けた穴を球に被せて、柱台上に載せた土砂又は連結した鎖等の充填物を、前記柱棒の側壁に沿って上下運動をさせて、前記台の上部の裏面に接触させずに上下運動させるので、地振動の振動エネルギーを台上に建設した建築物に地震動を伝達しない免震構造で、前記柱棒の後端を管柱内の容器内に収納した鎖と充填物を積んだ上に降ろして、台上等の建築物の荷重を台柱に伝え、更に、前記充填物や球を通して荷重を安定器と地面に伝える免震台脚ですので、地面と前記建築物の間に直接の固着面が無いので地震動による建物に破壊が発生せず、恰も、水中で船舶が粘性ゼロの水に船舶の舷が周囲を囲まれて支えられるので、波動が船舶に伝えられても、船体に地面と建築物が直接固着していないので波動の反作用が船舶を破壊しない構造の津波防御免震台脚です。
【請求項２】
当該津波防御免震台脚は、新築又は既設の建築物に拘らず、建築物の台脚に懸かる荷重を支える強度を備えた支柱の底面に差替えて台の下に、地面に置いた安定器の穴に、断面が円形又は多角形の支柱の底面に球の上半球の形状の穴を開けて球に被せた球の下部が、前記安定器内の穴を突き抜けて球の底面で地面に接するように嵌めた台脚に地震動で振動する地面に置換えるだけで、その台脚が支える台上に建設される建築物への全ての方向からの地震動のエネルギーを、球の回転や球の上半球を底面の穴に被せた支柱の上下運動に変換して運動を通して地震動を自然消滅させるので、地震動を建築物に伝達しない免震台脚です、この論理を実地に建築物に適用する為、既設の建築物の場合、建築物と建築物を支える台の支柱が地面と直接接触しないように支柱の丈を地上で切断したり、地面に穴を掘って地震動が上部建築物の重力を地面に懸けない状態で、地中からの地震動を球の回転運動や前記柱棒の周辺の充填物に伝達して、台上に建設された建築物に振動を伝達しない免震化の手段の為、既設の建築物の津波防御の免震技術が水中に停泊する船舶が津波に対して有効とする手段に比べてその防御策の致命的欠陥として、船舶の停泊する地点の水深が津波の波長より深い水深に予め、集結する手間が必要なことで、現状この津波防御法が生かされていない理由があります。一方、当該津波防御免震台脚は、如何なる水深や波長に影響されず、水底に据え付けられた錘に連結して台上に建設された建築物が座礁による破壊や流失されることのない台脚内で柱棒の外壁に沿った上下運動や流速に流されないように前記台上より水面に垂直に降ろした先端が曲げた板に津波の流速を当てて水流を上向きに方向転換すると同時に流速を緩めて水面の台柱が流されないように作用するので、津波の襲来時に船舶に沖合に避難活動する必要がない津波防御免震台脚です。これは、恰も、南極大陸が氷山の水底に海水を引き入れて氷山を海に流し出す手段のように津波の流速を板に当てて方向を上に変換して前記台上に据えた滑車で鎖を引張り上げて、台板を水面に垂直に押上げて周囲を塀で囲まれたで建築物への浸水を防止する津波防御免震台脚です。
【請求項３】
当該津波防御免震台脚は、津波又は地面の液状化が発生の際、水が前記台脚の丈より高い位置に達すると、上部台を表面の水圧で押上げて、台に設置した滑車に前記柱棒の管の中に納められた連結された鎖を滑車で引張上げて滑車の歯車を回し、台上の板に開けたもう一つの穴を鎖が通り抜けて、水中の水底にある錘に固く連結して、水上の台が水流に流されないように強固に固定され、一方、南極大陸の氷山が底に引き入れた海水に浮かされて海上に流れ出るように押出され、水の上昇水圧で押上げられ、水面上の台に固定された滑車によって前記柱棒の中から鎖又はロープを垂直に引張上げて、先に台脚内の柱管から柱棒を台脚から垂直に引き抜き、津波の波濤に飲み込まれないように上部台脚の台を水面に浮上させ、水面上の台板の上に建てられた建築物の塀で浸水を防ぎ、海底に平行な津波の波動の流速を、上記台脚板から下方に垂直に下ろした板の先端を海底に平行に曲げて、津波の海底に平行な流速を海底の垂直方向に立てた板の面に水流を当て、波動の流速を止めて、鎖を台上に設置した滑車で垂直に引張上げて、台脚上に建てた建物への浸水を自動的に防ぐ津波防御免震台脚です。自動的に全ての津波の水深に拘りなく流水の速度を水上の台から垂直に降ろした板に水を当てて流速の向きを海底に平行から真上の垂直に変換して台を水上に押上、鎖の長さや錘の重量を予め調節して自動的に完全な浸水防止の津波防御免震台脚です。この為、当該津波防御免震脚台を流氷のように複数集めて台を鎖又はロープで水底の錘に固定して水上の台の流失を防ぐことにより、恰も、沿岸に押し寄せる流氷を固定することにより、沿岸の利用地の面積を水上の台の面積による拡大で、ＩＴ農業用地や飛行場の沖縄周辺に偏在する問題解決策として東北沿岸地帯を新たな飛行場用地として流氷を固定することによって、その他に産業及び工業用地や居住区を拡大して経済及び土地の安全な有効利用の確保が可能な津波防御免震台脚です。
【手続補正２】
【補正対象書類名】明細書
【補正対象項目名】全文
【補正方法】変更
【補正の内容】
【発明の詳細な説明】
【背景技術】
【０００１】従来の技術は、津波襲来の際、沖合に停泊する船舶が被害を免れることに着目して津波防御の手段としている防御技術です。この為、水上に停泊する地点の水深により船舶が座礁したり流失する危険があります。
【当該技術】
【０００２】当該技術は、東京に本社のあるプロセブン社の振動台をトラックの荷台に取付けた人工の振動機で、神戸淡路大震災の振動の度合を再現したテスト機で卓上のカップの水が零れませんでした。このテスト結果が示すように、上部台上に建てた建物の台を支える重力を地面に伝播する為に、摩擦力の小さな形状である球を地面に置いた安定器の穴に嵌めて、球の底面で地面に接触させ、地震の発生の際、地中の震源域から伝わる振動を動力として、球を空転させたり球に被せた台柱と充填物を上下運動させて地震の振動エネルギーを球及び台柱の運動エネルギーに転換して、予め、振動力を運動を通して削減した後、地震の振動を消滅して建築物に伝えるので、当該津波防御免震台脚による建築物の免震手段は確実です。又、津波又は地面の液状化の発生の際は、水力で、台板と一体化した柱棒を、繋いだ儘の状態で滑車で、容器から柱棒を抜き出して台板を水面に浮上させて、台板に開けたもう一つの穴を通して水中に潜らせて、水底又は土中に錘と固く繋いで、水面上の台板が津波又は液状化した水に流されないようにして、台板上に建設した建築物の塀、又は船舶に擬した場合の舷によって建築物への浸水を防ぐ構造の津波防御免震台脚です。これは船舶が津波に際して沖合に避難するように、波動に対して水深が浅いと座礁や流失による破壊を防ぐ必要条件として、船舶が地面と直接固着又は底面で座礁させないことです。又、津波の丈の高さに対して、前記台脚中の容器内に繋いだ状態で折り重なった鎖又はロープを備蓄することが堤防を張巡らせること等と比べて遥かに安いコストで津波を防御することにが可能です、又、津波の地面に平行な流速に台板が流されない為に台板から地面に垂直に降ろしたした先端を曲げた板に流水を当てて流水の方向を真上に変更して、流水の速度を抑えると共に、上に向かった水圧で台板を水面に押上、恰も、南極大陸の氷山が底面に引き入れた海水に浮かされて流氷を海に流すように、台板に据えた滑車により容器内の鎖又はロープを引張り上げて台上の建築物を浸水から台上の建築物を防御する津波防御免震脚台です。
【図面の簡単な説明】
【０００３】
【図１】当該津波防御免震台脚の断面図の一例
【符号の説明】
【０００４】１．球、    ２．移動台柱、    ３．安定器、    ４．安定器の穴、
５．容器の蓋。    ６．容器、    ７．固定用ネジ、    ８．柱棒と一体化した台板、
９．柱棒、    １０、土砂、鎖又はロープ    １１．移動台柱の穴    １２．建物
１３．流速の上向きに方向転換する板    １４．塀又は舷、    １５．地表、
１６．柱棒の外壁    １７、滑車。    １８．甲板上に開けたもう一つの穴、
１９．滑車用に開けた甲上の穴    ２０．水底又は土中に埋めた錘
【発明の詳細な説明】
【０００５】当該免震台脚は、地表（１５）に置いた安定器（３）の穴（４）に嵌めた球（１）を安定器（３）の下の地面（１５）に球（１）の底面で接するように嵌めて、地震の発生の際、地震の振動を動力として、地震の振動エネルギーを球（１）又は、移動柱台（２）の運動エネルギーに転換して、球（１）を回転運動や移動台柱（２）の上下運動させる運動を通じてエネルギーを削減して、地震の振動を建築物（１２）に伝達するのを遮断することを免震化の主な手段とした免震台脚で、地表（１５）に置いた安定器（３）中の穴（４）に球（１）を突っ込んで、柱棒（９）と一体化した台板（８）上に、建築物（１２）を建ててネジ（７）等で台板（８）上に固定した柱棒（９）を容器（５）中の上面に穴を開けた移動柱台（２）上開けた穴（１１）に、直接詰め込まれた土砂の上に鎖又はロープ（１０）を被せた上に柱棒（９）の底面を降ろして上部の荷重を支え、移動柱台（２）の底面に球（１）の上半球の形状を刳り抜いた穴に球（１）の上から被せた移動台柱（２）と安定器（３）を通じて地面（１５）に伝え、消滅させた地震動を建築物（１２）に伝達するのを遮断する手段の免震台脚です。更に、津波や地面の液状化が発生した場合、前記柱棒（９）を津波や液状化によって生じる上昇水圧が柱棒（９）を管柱（６）の容器（５）から抜去って一体化した台板（８）を水面上に浮上させ、台板（８）上に据えた滑車（１７）に、内管（１６）に納めた鎖又はロープ（１０）を、滑車（１７）を回転させて鎖又はロープ（１０）を上部台板（８に降ろして、台板（８）に開けたもう一つの穴（１８）を通して水中を潜らせて、水底又は土中の錘（２０）と固く結び、水面上の台板（８）が水に流されないように、水上の元の位置に留めた儘、水面の上下運動に同調して水面に浮上して、塀又は舷（１４）によって建築物（１２）への水浸を防止する機能を備えた津波防御免震台脚です。当該津波防御免震台脚は、新築又は既築の建築物（１２）に拘らず、建築物（１２）を支える台板（８）の支柱を当該津波防御免震台脚に差替えるだけで、上部の一般的建物を免震化及び津波防御用建築物に改築させる津波防御免震台脚です（６）
【手続補正３】
【補正対象書類名】図面
【補正対象項目名】全図
【補正方法】変更
【補正の内容】
【図１】
2014122530.tif 000005
【手続補正書】
【提出日】平成25年9月24日(2013.9.24)
【手続補正１】
【補正対象書類名】特許請求の範囲
【補正対象項目名】全文
【補正方法】変更
【補正の内容】
【特許請求の範囲】
【請求項１】
［当該台脚は、地震の振動周期変動自動調節津波防御用台脚です。従来の耐震及び制振技術が、建築物と地面を結ぶ構造材を固く結合固着させて、地振の振動で建築物の倒壊や破綻するのを避ける為、内部部材間の建築物の強度の劣化や地盤の変動で建築物の振動周期の変動による防御構造が組み込まれていない為、大掛かりな改築や補強が必要なのに対して、大都会に建設する高層ビルの位階によるビルの変形が齎す建築物の損傷の可能性を、各３０，４５，６０階建てビル相当で、建物が大きく損傷する可能性が防災科学技術研究所のデーターで示されて、建築物に起こりうる変形の防災対策として、ビル毎に振動し易い「固有周期」による長周期地震動を防御する手段として早急に対策が求められているのに対し、当該地震の免震脚は、これら条件や要望を十分に充たし、地震の振動周期変動による建築物の変形を防御する手段として、球又は底面に下部球形の穴を掘った移動管柱に嵌めた球又は管柱を運動させて地面に接触させ、地震の振動に建築物の荷重に加えて、球又は管柱に伝える動きを動力として、球又は管柱を運動させて、地面の振動を自動的に吸収させるか、球の自転又は、管柱の管壁に沿って上下振動させて、自動的に地震の振動を吸収すると同時に、全ての水平方向の地震の振動を、球又は管柱の地面の元の位置に留めた儘、振動を吸収する自動免震手段です。即ち、地震の振動周期の変動を、球の回転運動又は、管柱の上下運動に、自動的に回転速度を合成して振動を吸収させる免震台脚です。従って、地震の振動が上下運動の場合、球を安定器の底面に嵌めて球又は管柱の上から潤滑油を塗って接触面の抗力を小さく保ち乍、内壁に沿って地面の振動で球を回転運動させるか、管柱を上下運動させて管柱内に連結した鎖を詰めた管を積み重ねた中に、スラヴを上端に固定した柱棒管に詰めて連結した鎖の帯を、滑車の回転と津波の水勢でスラヴを水面に押し上げて、荷重の方向を転換した鎖の帯をスラヴ上に垂らし、スラヴ上に開けたもう一つ穴に鎖の帯を通して、スラヴ裏面に接する水面を潜り、下に降ろして、鎖の帯の末端を水底で錨又は岩石に結び付けて鎖を水面上のスラヴに固定して、スラヴの位置が水面で水流に流失されないようにして、スラヴの先端から水底に向けて直角に垂れ下がるシャッターの面に津波の水流を衝突させて、スラヴを上方に押上げ同時に、柱棒に詰めた鎖を管から抜去って、建築物等の上部荷重を鎖を通して底面の球に伝える一方、管の上方から食み出た柱棒の先端を水流によりスラヴを押上げる時、スラヴ上に建設する建築物が、恰も、沖合に避難した船舶の底面のように、地面と船底が固着せず船底と水流が分離しているので、津波の水流の衝撃に抗力が作用せず船内への浸水を防ぐので、スラヴ上面に建設する建築物の裏面に設置する滑車から鎖の帯を上に引張り上げて、水底の鎖の帯を錘に固定して水面に浮上するスラヴを水底から水面迄の距離に拘らず、恰も、沖合に避難した船舶同様に、津波防御免震台脚で地震の振動や津波の潮流が底流と分離するので、球の回転速度が地面の振動速度と一致して吸収するので、船舶の内部への抗力が作用せず浸水を防ぎ、スラヴ上に建設する建築物の破壊を防ぐ振動周期変動自動調節する津波防御免震台脚です。
【請求項２】
当該地震の振動周期変動の自動調節する津波防御免震台脚は、新築又は既設の建築物に拘らず、建築物を下から支える台板と地面に接触する安定器の底面に嵌めた球を底面で地面に接触させて、地面の振動により球の地上での平面上の位置を変えずに、地震の振動エネルギーを管柱の上下運動のエネルギーに転換して振動を吸収するか、前記台板に当該免震台脚を置換えるだけで、当該免震台脚の動きの回転速度に地震による地面の振動を変換させて、鎖の帯を管柱から管内に引き出して、津波の波濤に合わせて鎖の帯の丈を伸ばすことにより、スラヴに設置した滑車と津波の潮流でスラヴを水面に引張り上げて、地振の上下運動を吸収すると、同時に、スラヴ上に垂らした鎖の帯をスラヴ上に開けたもう一つの穴を通して、裏面で接する水面を潜って水中を降ろした複数の鎖を水底の錘に結び付けて、水面に浮上するスラヴが水流に流されないように鎖の長さを調節して、水上の位置を固定する、恰も、沖合に避難した船舶が船底で粘着力ゼロの水に周囲を支えられて、津波の水流と分離した船底が潮流の衝撃に破壊されることがないように、水底に平行な水流をスラヴ台上に廻らせた建築物を囲む塀又はシャッターの面にぶつけて、水流に平行な水流の方向を水底の垂直上方向に変えてスラヴを上方に押上、同時に、スラヴ上に建設した建築物諸共水面上を地面に垂直に上下運動させて、地震の振動エネルギーを運動エネルギーに転換して、振動エネルギーを吸収して上下運動を消滅させて、津波の水流を建築物内で抗力をさようさせずに船腹を破壊せずに船内に侵水させない構造です。従来の防災対策の長提等の設置や他の防備策に較べて、当該免震脚が設置に大幅な経費節減が可能で、併せて、工事日程の短縮も可能な建築物の津波防御策として遥かに従来の制振技術に較べて大幅な節減に優れ、底面の安定器に開けた穴に球を嵌めるか、底面が球形の穴に嵌めて移動柱を上から被せ、上部から潤滑油等を塗布して、球が自転し易いように球の底面で運動させて、上部荷重を地面に伝えて地面で荷重を支え乍、振動の周期の変動を吸収させ乍、地震の振動エネルギーを運動エネルギーに転換させて、球又管柱の運動を通して地震の振動エネルギーを球又は管柱の運動エネルギーに変換して変動による建築物の変動を防御する原理を手段とする地震の振動周期変動自動調節津波防御免震台脚です。従って、地面の全水平方向からの振動に球を自転及び回転運動させることにより、球の地面に対する位置を建築物の元点に留めた儘、振動エネルギーを運動エネルギーに変換して自動的に地震を自然消滅させて、振動力をゼロにした状態で、建築物に地震の動きの伝達を完全に遮断する建築物と地面との間を直接固定しない、恰も、沖合に避難させた船舶が、船舶の底面又は側面を粘着力ゼロの水に支えられて、水の浸入による内部構造を破壊する抗力が発生しない当該地震の振動周期変動を自動調節する津波防御免震台脚で、台板に当該免震台脚を置き替えるだけで、地震の縦振動を建築物に断絶させ、スラヴ台上に建設する建築物の荷重が水の振動の周期変動を吸収するので、耐震性の為の建築物の大掛かりな補修費用を必要とせず経済的な免震工法です。従って、尤も簡単な当該台脚の施工方法としては、既設の建築物の場合は、振動が建築物の固着を緩めて建築物の強度劣化の原因とならないように、荷重の負荷を他の部材に接触させずに球を自転させるので、当該振動周期変動自動調節津波防御免震台脚を旧来の台板に並べて地面に設置し、上部荷重を旧来の支柱から荷重を移転させてから，然る後、旧来の台板の機材を取払い、当該免震台脚に荷重を移転して、地面に旧来の機材の接触を阻むのが最良の方法と考えます。即ち、地震の振動エネルギーを地面とスラヴ上に建設する建築物の荷重を地面に固定することなく、地面の振動を吸収した後、建築物に振動の伝達を振動エネルギーをゼロにしてからスラヴ上に建設する建築物に動力を伝達する津波防御免震台脚です。
【請求項３】
当該免震台脚は、地震の振動周期の変動による建築物の変形を防御する免震技術ですので、大都会の高層ビル建設を、現状の建築工法で建設するのは、地震動で建築物が大きく損壊する可能性があると防災技術研究所がデーターを基に発表して、その防災対策の緊急性を指摘しています。然るに、長周期地震動に対する防災技術が地震の周期変動の対応技術と共に、未だ不十分とされているに拘らず、早急の対策が求められています。当該地震の振動周期変動自動調節免震台脚は、この地震による振動周期の変動の防備技術を振動に応じて建築物を運動させて地震動を吸収させる免震技術で、水面に押上げられたスラヴの裏面に固定して設置した滑車を管柱内で連結して作動する鎖を引張り上げて、スラヴ上の上端を支柱と連結した上部スラヴに固定した柱棒管内を通して連結した鎖の山に前記柱棒管の下端を降ろして、上部荷重を周囲の連結した鎖で支え、スラヴの裏面に接する水面に津波の潮流と滑車の合力でスラヴを押上げて、引張上げられた鎖の帯をスラヴの表面に開けたもう一つの穴を通して、スラヴ裏面に接する水中に潜らせて水底に降ろし、錘又は岩石に鎖の帯を結び付けて、水底から水上迄の距離に拘りなく、鎖でスラヴを元の水上の位置に滞留させる津波防御免震台脚です。スラヴを支柱で連結して管柱内から水中に食み出た柱従来の長堤等の長期設置に必要なコストや建設工事期間に較べて、鎖を圧縮した形で管柱内に保管して必要な時のみ鎖を必要な時に引き伸ばし使用するので、長堤等の常時必要な設置や工事に較べて遥かに経済的、且つ、取扱いに便利な津波防御免震装置で、スラヴ上に建設する建築物を浸水から防御する為、恰も、沖合に避難した船舶のように水中の振動の衝撃に抗力が発生せず、船底が水流と分離しているので船底が破壊されないで船内に浸水を防止する粘着力ゼロの水に囲まれて地面と船底が分離している為、建築物が船外で波動に対する船内の抗力が発生せず、内部への浸水を防ぐ津波防御免震建築物台脚です。更に、建築物を建設するスラヴ上の周辺のシャッターを水底に垂直に垂らし、水面に平行な水流をシャッターの面に当てて、水流の方向を地面に垂直上方向に自動的に水流の方向を変えて、柱棒内の管柱に詰めた鎖を滑車で引張り上げて水流を堰き止め、津波等の水勢とスラヴの上に建設する建築物を振動から遮断して、水中で鎖を元点の位置に留めた儘で、津波を防御する地震の振動周期変動自動調節免震台脚で、安定器の底面に開けた穴を下半球の形に掘った球又は、移動柱に掘った穴に球を嵌めて地震の上下振動に自動的に球の底面で地面と接触する地面の動きを動力とする球の回転又は移動柱の振動を吸収する地震の周期変動による建築物の変形防止長周期変動の防災対策です。
【手続補正２】
【補正対象書類名】明細書
【補正対象項目名】全文
【補正方法】変更
【補正の内容】
【発明の詳細な説明】
【背景技術】
【０００１】  従来の技術は、建築物を地面との間に摩擦力増大する為に杭を打込んだり、建築部材を強固に固定して地震の振動に建築物が容易に破損や流失を免れることを目的とする手段としてその原理を用いた防御技術です。この為、従来の技術では、建築物の振動周期の変動により建築物の変形による対策がありませんでした。
【当該技術】
【０００２】  当該技術は、地震動の周期の変動やそれが齎す建築物の変形を、地面に置いて荷重を地面に伝播する為に，地面の振動を動力として回転させる球を回転運動させる安定器と地面で接触させて、球の回転速度を合成させて地震の振動を吸収させて周期の変動を自動調節する建築物の変形を吸収させる固定を取除いた免振振動台脚です。
【０００３】
【図面の簡単な説明】
【０００４】
【図１】
2014122530.tif 000006
【符号の説明】
【０００５】１．球              ２．移動管柱              ３．管柱の上面に掘った穴４．連結した鎖の帯  ５．免震台脚    ６．安定器      ７．地面    ８．錘９．連結した鎖の帯    １０．柱棒        １１．スラヴ        １２．滑車１３．支柱              １４．柱棒内管      １５．水底の錘に繋ぐ鎖の帯１６．スラヴのもう一つ穴      １７．建築物        １８．建築物を囲む塀１９．水面    ２０．シャッター    ２１．底板
【発明の詳細な説明】
【０００６】当該地震による振動周期変動防御自動振動調節津波防御免震台脚は、地面（７）に接する台板（２１）を当該台脚に置換えただけで、新築或いは、既設建築物（１７）に拘らず、即ち、地面（７）建築物（１７）を固着させない為、地面（７）に置いた安定器（６）に嵌めた球（１）を底面で接しさせて地震の振動を動力として、球（１）又は、移動管柱（２）を上下運動させて、地震の振動エネルギーに転換させて、運動エネルギーを削減させて、スラヴ（１１）上に建設した建築物（１７）に振動を伝達するのを遮断して、免震化の手段とする免震台脚（５）で、安定器（６）の穴に球（１）を嵌めて、スラヴ上（１１）に上端を固定した連結した鎖の帯（９）を柱棒（１０）の中の管（１４）に詰めて柱棒（１０）を連結した鎖を積上げた束の中に降ろし、上部の荷重を周囲の鎖の帯（９）で支え、運動する移動管柱（２）か球（１）を通じて地面（７）に伝え、地震の振動を吸収して、スラヴ（１１）上に建設する建築物（１７）で振動の伝達を遮断する手段の免震台脚（５）です。更に、水や水流が柱棒（１０）の丈を超える場合、前記免震台脚（５）から柱棒（１０）を抜去って、スラヴ（１１）を水面（２１）上に浮上させ、移動管（２）で引き出した鎖の帯（９）を滑車（１２）で引張上げて、スラヴ（１７）上に開けたもう一つの穴（１６）を通しスラヴ（１１）の裏面で接する水面（２１）を潜らせて、鎖の帯（９）で水底の錘（８）と結び、浮上した水面のスラヴ（１１）が水流に流されないように水面の元の位置に留まった儘、水面上のスラヴ（１１）の垂直運動に同調して、スラヴ（１１）上に建設された建築物（１７）の囲い塀（１８）に遮蔽されて水浸を防止する新築或いは既設に拘らず地面（７）の柔軟性を考慮して、底板（２１）を地面（７）強度も考慮して、当該免震台脚（５）に取替えるだけで、最短の改築施工工期で小さな工事で済ませる全体の改築工期を可能にする建築物（１７）の振動周期変動を防御する免震及び全体の建築物（１７）を津波から防御する免震台脚（５）です。
【手続補正書】
【提出日】平成25年11月22日(2013.11.22)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【発明の詳細な説明】
【背景技術】
【０００１】従来の技術は、建築物を地面との間に摩擦力増大する為に杭を打込んだり、建築部材を強固に固定して地震の振動に建築物が容易に破損や流失を免れることを目的とする手段としてその原理を用いた防御技術です。この為、従来の技術では、建築物の振動周期の変動により建築物の変形による対策がありませんでした。
【当該技術】
【０００２】当該技術は、地震動の周期の変動やそれが齎す建築物の変形を、地面に置いてを地面に伝播して建築物への振動を防御する為に，地面の振動を動力して球を自転運動させる安定器に嵌めて地面と接触させて地震の振動を吸収させるか、地震動が縦振動の場合は、地面の上下運動に同調させて振動を吸収させるために、地震の振動の変動の周期を自動調節して建築物の変形を防御する地振の振動周期変動自動調節津波防御用免震台脚で柱棒管の底面に上部球状の穴を開けて球の上から柱棒管を被せて、地面の上下運動に合わせて、柱棒管を上下運動させて、地震の振動を建築物に伝達せずに、建築物を地震による建築物の破壊や倒壊から振動を取除いた免振振動台脚です。
【項目名】
図１
【０００３】
【図面の簡単な説明】
【０００４】
【図１】当該地震の振動周期変動自動調節津波防御免震台脚の断面図の一例です。
【符号の説明】
【０００５】１．球                ２．移動管柱        ３．円柱管の底面に掘った穴        ４．連結した鎖の帯  ５．免震台脚    ６．安定器        ７．地面    ８．錘９．上部スラヴ台と下部スラヴ台を連結した鎖の帯        １０．柱棒              １１．下部スラヴ        １２．滑車              １３．支柱                  １４．柱棒内管    １５．水底の錘に繋ぐ鎖の帯    １６．スラヴのもう一つの穴    １７．建築物    １８．建築物を囲む塀    １９．水面    ２０．シャッター    ２１．底板
【発明の詳細な説明】
【０００６】当該地震による振動周期変動防御自動振動調節津波防御免震台脚は、地面（７）に接する台板（２１）を当該台脚に置換えただけで、新築或いは、既設建築物（１７）に拘らず、即ち、地面（７）建築物（１７）を固着させない為、地面（７）に置いた安定器（６）に嵌めた球（１）を底面で接しさせて地震の振動を動力として、球（１）又は、移動管柱（２）を上下運動させて、地震の振動エネルギーに転換させて、運動エネルギーを削減させて、スラヴ（１１）上に建設した建築物（１７）に振動を伝達するのを遮断して、免震化の手段とする免震台脚（５）で、安定器（６）の穴に球（１）を嵌めて、スラヴ上（１１）に上端を固定した連結した鎖の帯（９）を柱棒（１０）の中の管（１４）に詰めて柱棒（１０）を連結した鎖を積上げた束の中に降ろし、上部の荷重を周囲の鎖の帯（９）で支え、運動する移動管柱（２）か球（１）を通じて地面（７）に伝え、地震の振動を吸収して、スラヴ（１１）上に建設する建築物（１７）で振動の伝達を遮断する手段の免震台脚（５）です。更に、水や水流が柱棒（１０）の丈を超える場合、前記免震台脚（５）から柱棒（１０）を抜去って、スラヴ（１１）を水面（２１）上に浮上させ、移動管（２）で引き出した鎖の帯（９）を滑車（１２）で引張上げて、スラヴ（１７）上に開けたもう一つの穴（１６）を通しスラヴ（１１）の裏面で接する水面（２１）を潜らせて、鎖の帯（９）で水底の錘（８）と結び、浮上した水面のスラヴ（１１）が水流に流されないように水面の元の位置に溜まった儘、水面上のスラヴ（１１）の垂直運動に同調して、スラヴ（１１）上に建設された建築物（１７）の囲い塀（１８）に遮蔽されて水浸を防止する新築或いは既設に拘らず地面（７）の柔軟性を考慮して、底板（２１）を地面（７）の調整を小さな工事で済ませ、建築物全体の改築工期を強度を保ち乍、建築物の補強を簡単にする建築物（１７）の地震動とその振動周期変動を防御する免震及び全体の建築物（１７）を津波から防御する免震台脚（５）です。
【手続補正２】
【補正対象書類名】手続補正書
【補正対象項目名】手続補正３
【補正方法】追加
【補正の内容】
【手続補正３】
【補正対象書類名】図面
【補正対象項目名】全図
【補正方法】変更
【補正の内容】
【図１】
2014122530.tif 000007
【手続補正書】
【提出日】平成25年12月13日(2013.12.13)
【手続補正１】
【補正対象書類名】特許請求の範囲
【補正対象項目名】全文
【補正方法】変更
【補正の内容】
【特許請求の範囲】
【請求項１】
当該免震台脚は、従来の耐震及び制振技術が地面と建築物の間に部材を固着させて、地面と建築物の摩擦係数をたかめて地震の震動による建築物の破壊を取除く手段としたのに対し、地面に載せた安定器の穴に嵌めた球の底面で地面に接触し地震の振動を動力として球の自転運動をさせるか、地面の上下運動に合わせて免震脚内の円柱筒の内壁に沿って上部スラヴ板に固定した滑車を回転させて円筒体を上下運動させて、円筒体上面に掘った穴に連結した小球を積重ね、スラヴ板に開けた円筒形の穴に円柱筒を通し、円柱筒内部に嵌めた円筒体の底面に掘った上半球の形の穴に底部の球の上半球に被せ、縦振動の地震の上下振動に合わせて管内の円柱筒とその上に積んだ連結小球鎖に球の自転の上下運動に振動を吸収させて、上部のスラヴ上に建設した建築物に振動の伝達を遮断する免震台脚です。
【請求項２】
当該免震台脚は、連結した小球鎖を柱管棒の管中の細管に詰めて、細管から食み出た小球鎖が円柱筒内で柱管体を支え、地面の地震の縦揺れに合わせて底面の球から円筒体を押上げ、その上の連結小球鎖から中管体を順次押上げ、内部の細管から連結した小球鎖の帯を、上部のスラヴに固定した滑車で引張上げて、スラヴ上に開けたもう一つの穴に小球鎖の帯を通して水中を降ろし、水底の錘に帯を結び付けて、恰も、沖合に避難した船舶に繋留した船舶が潮流に流されないように、水深に拘りなく水面上のスラヴを水上の位置に亭留すると同時に、上部荷重を底面の球の自転運動及び上下運動に巻き込んで地震の震動を吸収する一方、円筒体外壁にスクリュウ又は羽を付けた回転体を結び付けて、地面に平行に押し寄せる津波の潮流で回転体を回転させて、垂直上方に潮流の方向を転換させて上方のスラヴ板を下方から水面上に押上、スラヴ上に建設した建築物内への浸水を防ぐ津波防御免震台脚で、柱管体内部の細管から連結小球鎖の帯を引出して津波でスラヴ板を垂直上方に押上げる潮流の水勢により柱管体を上下運動させ、柱管体を水面が上回るとき、柱管体を円筒体から抜去って水中に浮遊した儘地震の震動を吸収し、柱管体内部の細管に閉じ込められた連結した小球鎖を引張り出して小球鎖の帯で水上と水底を連結した津波防御免震台脚の構造の一例です。
【請求項３】
当該津波防御免震台脚は、新築及び既設の建築物に拘らず地面と建築物の間で建築物を支える台柱の代わりに当該免震台脚を置換えるだけで、建築物を免震津波防御建築物に転換できます。即ち、地震の震動を動力として、地面で接触する球の自転運動と安定器に嵌めた球が持上げる円筒体上部に積んだ連結小球鎖でスラヴ上に建設した建築物の荷重が懸かる柱管体を受け止めて、底面に上半球の形の穴を開けた円柱筒を球の上から被せて、球を通じて荷重を地面に伝達し、地震の震動を動力として球を自転運動したり、地面の上下運動を球に移して地震の震動を同時に吸収する津波防御免震台脚で、地面に平行に押寄せる津波の潮流を上部スラヴ板に固定して垂直に垂れ下がった津波潮流塞き止め板に当てて、潮流の向きを垂直上方に変換して上方のスラヴ板を水面上に押上、スラヴ板と建築物を同時に上下運動させて、建築物への津波の潮流の衝撃を止めて、地震の震動も小球鎖の帯の捩れにより同時に吸収する津波防御免震台脚で、円柱筒に嵌めたスクリュウ回転で津波の潮流の方向を効率よく垂直上方に転換して滑車の働きと共に柱棒内管に詰込んだ連結小球を食み出して帯を引き伸ばし、上部スラヴ板を水上に押上げる為に円柱内で連結小球体を引き伸ばし効率よくスラヴ板を水面に浮上させる為に、津波の潮流を垂直上方に押上げて、スラヴ板及びその上に建設した建築物を同時に上下運動させ、建築物を取り囲む外壁に守られて建築物内に浸水を防止する振動周期変動防止津波防御免震台脚です。
【手続補正２】
【補正対象書類名】明細書
【補正対象項目名】全文
【補正方法】変更
【補正の内容】
【発明の詳細な説明】
【背景技術】
【０００１】従来の技術は、建築物と地面との間の摩擦力を増大する為に地面に杭を打込んだり、建築部材を互いに強固に結びつけて地震の震動に建築物が容易に破壊されないように建築物を地面に強固に固定することを耐震の課題とした建築工法でした。
【当該技術】
【０００２】当該技術は、地震や津波による振動や衝撃を地面に置いた安定器の穴に嵌めた球の自転や地震による地面の上下運動を上部円筒体下部に集積した連結小球に上部建築物の荷重を分散して下支えさせ、底面の球を通じて地面に荷重を伝達させ、同時に、地面の上下運動を順送させて、スラヴ板の円筒形の縦穴に嵌めた連結棒で連結して上端を上部スラヴに固定した滑車で柱管体内部の細管に詰めた連結小管の帯を引張り上げて、円筒形に開けた穴に通して、スラヴ板の裏面に接する水中を下降させて水底の錘に結び付、柱管体に上下運動を移行して、水位が柱管体を超えた場合、柱管体を円柱筒から引張上げて円柱筒から管中体を抜き出して、地震の震動による柱管体の捩れを直して振動を吸収して、地面に平行に押寄せる津波の潮流に圧されて回転するスクリュウにスラヴ板を水面に押上げて、上部スラヴ板から垂直に垂れ下がる潮流堰き止め板の面に津波の潮流を衝突させて水平方向の勢いを削ぎ、スクリュウによって垂直上方に方向転換された水力でスラヴ板を建築物諸共水面に押上げて、建築物への内部浸水を防御する津波防御免震台脚です。
【０００３】
【図面の簡単な説明】
【０００４】
【図１】当該地震の震動周期変動自動調節津波防御免震台脚の断面図の一例です。
【符号の説明】
【０００５】１．球、    ２．円柱体，    ３．連結した小球鎖    ４．柱管体    ５．滑車、    ６．連結小球鎖帯    ７．錘    ８．地面    ９．スラヴの支柱    １０．スクリュウ    １１．円筒体    １２．津波潮流止め板    １３．スラヴ    １４．スラヴ上に建設した建築物    １５．水面    １６．安定器    １７．建築物を囲む塀    １８．柱管体の細管    １９．管中連結小球鎖帯
【発明の詳細な説明】
【０００６】当該地震による振動周期変動防御自動振動調節津波防御免震台脚は、地面（８）で建築物（１４）を持上げる台柱を穴の開いた安定器（１６）に嵌めた球（１）の免震台脚に置換えるだけで、建築物（１４）の上記荷重を底面の球（１）を通じて地面（８）に伝達して建築物（１４）を支えて建物全体を津波防御免震建築物に変身することが可能な技術です。即ち、地震が発生する際、その振動を地面（８）で接する安定器（１６）の穴に嵌め込んだ球（１）の底面で球（１）の自転及び地面の上下運動を球（１）の上下運動に伝達させて、底面に上半球の穴を開けた円筒体（２）を球（１）に被せて、円筒体（２）の上面に載せた連結小球鎖（３）で柱管体（４）を下から支え、柱間体中の細管（１８）に詰込んだ連結小球鎖帯（１９）をスラヴ（１３）に上端を固定した滑車（５）に嵌めて、スラヴ（１３）内空間の背面に接する津波の潮流の水中を下に下降させて、末端で水底の錘（７）結び付け円筒体（１１）に取付けたスクリュウ（１０）に押し寄せる地面に平行な津波の潮流の力で押して回転させて、潮流の向きを垂直上方に方向転換させ、滑車（５）の働きと共にスラヴ板（１３）と建築物（１４）諸共水面（１５）上に押上げて、建築物（１４）の周囲を廻らす塀で浸水から建築物（１４）を防御して、柱管体（４）の位置が円柱筒（１１）より上に押上げられる時、スラヴ（１３）から柱管体（４）を円柱筒（１１）から抜去って水中に滞留させ、同時に、地震の震動による連結小球鎖帯（６）の捩れを戻して、地震の震動を吸収する、地震の震動周期変動自動調節津波防御免震台脚です。
【手続補正４】
【補正対象書類名】図面
【補正対象項目名】図１
【補正方法】変更
【補正の内容】
【図１】
2014122530.tif 000008
【手続補正書】
【提出日】平成26年1月8日(2014.1.8)
【手続補正１】
【補正対象書類名】特許請求の範囲
【補正対象項目名】全文
【補正方法】変更
【補正の内容】
【特許請求の範囲】
【請求項１】
当該発電ビル免震台脚は、スラヴ上に建設する建築物をスラヴ板の下から荷重を支える免震台脚で、地面に置いた底面に穴を開けた安定器に球を嵌め込み、地面と底面で接触させ、地震の震動を動力として球の自転運動又は地面の上下運動に合わせて球と共に、円柱筒の底面に開けた球の上半球の形状の穴を被せた球の円柱筒を上下運動させることによって、円筒の上面に掘った穴上に連結小球鎖帯を載せて、更に必要があれば、タービンと発電機を結合させて円柱筒の外壁に挟まれたタービンの軸が連結小球鎖帯に囲まれて、縦方向に自由に上下運動をする幅を残した溝に嵌めたタービン軸の先端にタービンブレイドを地面に水平に水力又は風力で回転運動させるように設置して発電機能を惹起させ、プラスマイナスの電源を水中電線を用いスラヴ上に建設した建築物に直接送電する回路を導入し、従来の耐震又は制振技術が建築物と地面の間を材料部材や地面に直接固着させて振動に対する摩擦力を高め、地振の振動による建築物の倒壊や破損するのを防ぐことを目的とし、地震の震動により内部部材間の固着を弛緩して建築物全体の強度の劣化や地盤の変動で建築物の震動周期の変動を防御する為、大都会に建設する高層ビルの位階によるビルの変形が齎す建築物の損傷の可能性を、各３０，４５，６０階建てビル相当で、建物が大きく損傷する可能性が認められる構造を防災科学技術研究所がデーターで示し、建築物に起こりうる変形の防災対策の特に必要性を指摘して、ビル毎に振動し易い「固有周期」による建築物の変形を構造的に防御する手段を講ずる必要を警告しているのに対して、当該免震台脚は、台脚の底面に上部球状の形に掘った穴を球の上から被せて地面に置いた安定器の穴に嵌めた球を震動する地面に底面で接触させて、地震の震動を動力として、柱棒管を下から支える一方で連結小球鎖帯を地面の変動に合わせて上下運動させて地震の縦振動を吸収させる傍ら、球の水平面の位置を元の位置に留めた儘で地面の水平方向の震動を自動的に球を自転運動させて地震後の震動を免震台脚内で吸収して地震の上下震動を、スラヴ上の上端に固定した滑車で連結小球鎖帯で柱棒管を取り囲んで荷重を下支えし乍、柱管棒と円柱筒の間の空間に嵌り込んだ連結小球鎖帯を地震の縦振動に合わせて上下運動させて震動を吸収させて、スラヴ台上に建設する建築物に地震の震動の伝達を遮断する構造の免震台脚で、地震の震動を動力として、球の位置を地震の震動前の位置に留めた儘で、球を自転運動させて、地震の震動を周期の変動と共に各々の運動を通して地震の震動を自動的に其々の回転運動に吸収する免震台脚です。
【請求項２】
当該発電ビル免震台脚は、地震の震動が地面を上下運動するのに合わせて、底面で地面に接する球を連動させて球に被せた円柱筒を上下運動させて、円柱筒の上面に開けた穴の上に連結小球鎖帯を積載して柱棒管を下支えし乍、スラヴ上に建設する建築物の荷重を下支えする傍ら、円柱筒と柱棒管の間の空間に嵌り込んだ連結小球鎖帯を地面の振動に合わせて上下運動させて地震の縦振動を吸収し、柱棒管内の細管に連結小球鎖帯を詰め込んでスラヴの上端に固定した柱棒管を下支えして、円柱筒に縦方向に開けた穴を固定したタービンブレイドを津波の潮流を上方向に向かうように回転させて発電し、津波の潮流の向きを上方に転換した水力でスラヴ上に建設した建築物を水面に押し上げる傍ら、連結小球鎖帯をスラヴ上に開けたもう一つ穴を通してスラヴの裏面で接する津波の水面を潜り水底で錨に結び付けて水面で水流により流失されないようにして上方から水底に向けて付けたテーパーの潮流の塞ぎ板に海底に平行な津波の水流を塞ぎ板の面に衝突させて水流を止めて方向転換した津波の水勢により円柱筒から柱棒管を抜去ってスラヴを上方に押上げ、連結小球鎖帯を柱棒管に詰めた細管から連結小球鎖帯を抜出し、建築物等の上部荷重を円柱筒から球を経由して地面に伝える一方、津波の潮流の方向転換した水勢によりスラヴと共にその上に建設した建築物を上方に更に押上げ、恰も、沖合に避難した船舶のように津波の水流の衝撃に船底を潮流と一体化して船底を破壊されないようにして船内への浸水を防ぎ、スラヴ上面に設置した滑車により連結小球鎖帯を上に引張り上げて水面に浮上するスラヴを水底で錘に連結させ、船底から水面迄の距離に拘らず船底から船舶内部への浸水を防ぎ、建築物の破壊を防ぐ発電ビル免震台脚です。
【請求項３】
当該発電ビル免震台脚は、新築又は既設の建築物に拘らず建築物を支える台柱に当該発電ビル免震台脚に置換えるだけで、地震の震動を球の回転速度や円柱筒の上下運動による震動を吸収する免震台脚です。即ち、従来の耐震対策を建築物が地震により振動しないように建築物を地面との間に杭等を打込み建築物との摩擦圧を高めて、制振及び制震性を固着させることが地震の震動に対して建築物の保全を保つ概念に基づく考え方に対して、当該発電ビル免震台脚は、従来の設計思想を真逆に変えて、地震の震動に建築物を同調させることが震動に対する建築物を防御する最適の免震手段と考えます。即ち、地上僅か数メ−トルの土砂崩れに対して人命や建築物が破壊を受ける状況を観察する中で、多くの場合、数キロメ−トルにも及ぶ震源地からの土砂の震動力を、地上で建築物を制御することが困難と考える所以です。従って、地震の動力に同調させて建築物の底面で接触する球を自転させて、球に被せて静止した円柱筒上に建築物を建設するか、台を下支えする柱棒管の脇に並ぶ連結小玉鎖帯を自由に上下運動させて建築物内の地震の縦振動を吸収する構造で、この様な地震の震動を建築物内で自動的に吸収するには、地面に載せた安定器の穴に嵌めた球を底面で地面と接触させて地震の震動を動力として、水平方向の震動を球の自転運動に吸収させるか、地震の縦振動の場合には、安定器の穴に嵌めた球の上半球を円柱筒の底面に開けた上半球の穴を球の上から被せた円柱筒のタービンブレイドに回転させて、それに衝突させて発電機で発電させて、連結小球鎖帯を積重ねた円柱筒の上面に建築物の荷重を下から支えるスラヴと地面と接触する安定器の底面に嵌めた球の底面で地面に接触させて地面の震動を動力として、球の地上での平面上の位置を元の位置の儘で球を自転させて地震の震動エネルギーを球の上下運動に転換して円柱筒に連動させて、地震の上下震動を吸収する建築物の台柱に当該免震台脚を差替えるだけで、当該免震台脚の球の自転速度に地震による地面の震動を球の回転速度に同調させて吸収する連結小球鎖帯を、柱棒管から円柱筒内に引き出してスラヴに設置した滑車と水流でタービンブレイドを回転させて発電すると同時に、水面に浮上するスラヴが水流に流されないように連結小球鎖帯に結び付けて水面上の位置に滞留させ、恰も、沖合に避難した船舶の船底で粘着力ゼロの水に周囲を支えられて、津波の潮流の衝撃に破壊されることがないように一体化した潮流の方向を上方に転換して建築物内で震動を吸収する発電ビル免震台脚です。
【手続補正２】
【補正対象書類名】明細書
【補正対象項目名】全文
【補正方法】変更
【補正の内容】
【発明の詳細な説明】
【背景技術】
【０００１】従来の技術は、建築物を地面との間に摩擦力増大する為に杭を打込んだり、建築部材を強固に固定して地震の震動に建築物が容易に破損や流失されないことを目的の手段として、その原理に基づいた防振技術です。この為、従来の技術では、建築物の震動周期の変動により建築物の変形による劣化又は復元構造がありませんでした。
【当該技術】
【０００２】当該技術は、地震動の周期の変動やそれが齎す建築物の変形を、地面に置いて底面で接する穴に球を嵌めて自転する球に伝播して建築物への震動の伝達を防御する為に，地面の震動を動力として球を自転運動させる安定器に嵌めて底面で地面と接触させて地震の震動を自転により吸収させるか、地震動に同調させて振動を吸収させるために、地震の震動による変動の周期を自動調節して建築物の変形を防御する地震の震動周期変動を自動調節が可能な構造です。従って、地震の震動を建築物に伝達せずに、建築物を地震による建築物の破壊や倒壊を起こす震動の伝達を取除く構造の発電ビル免震台脚です。
【０００３】
【図面の簡単な説明】
【０００４】
【図１】当該発電ビル免震台脚の断面図の一例です。
【符号の説明】
【０００５】１．球                ２．円柱筒              ３．円柱管の底面に掘った穴４．柱棒管        ５．滑車    ６．連結小球鎖帯        ７．錘    ８．地面９．連結小球鎖    １０．タービンブレイド  １１．円柱管  １２．潮流の塞ぎ板１３．スラヴ      １４．建築物        １５．水面              １６．安定器１７．建築物を囲む塀  １８．発電ビル免震台脚    １９．発電機
【発明の詳細な説明】
【０００６】当該発電ビル免震台脚（１８）は、地面（８）に接する台板を当該台脚（１８）に置換えただけで、新築或いは、既設建築物（１４）に拘らず、即ち、地面（８）と建築物（１４）を固着させない為、地面（８）に置いた安定器（１６）に嵌めた球（１）を底面で地面（８）と接して地震の震動を動力として、地震の震動に合わせて、球（１）又は、円柱筒（２）を上下運動させて、地震の震動を運動エネルギーに転換させて、スラヴ（１３）上に建設した建築物（１４）に伝達するのを遮断して免震化の手段とする免震台脚（１８）で、安定器（１６）の穴に球（１）を嵌めて、スラヴ上（１３）に上端を固定して連結小球鎖帯（９）を柱棒管（４）の中の細管に詰めて柱棒管（４）に連結した鎖を積上げた束の中に降ろし、上部の荷重を柱棒管（４）周囲の連結小球鎖帯（９）で下支えし運動する円柱筒（２）か球（１）を通じて地面（８）に伝え、地震の震動を吸収して、スラヴ（１３）上に建設する建築物（１４）で震動の伝達を遮断する手段の免震台脚（１８）です。更に、水流が柱棒管（４）の丈を超える場合、前記免震台脚（１８）から柱棒管（４）を抜去って、スラヴ（１３）を水面（１５）上に浮上させ、円柱筒（２）内で引き出した連結小球鎖（９）を滑車（５）で引張上げて、スラヴ（１３）を通して裏面で接する水面（１５）を潜らせて、連結小球鎖帯（６）で水底の錘（７）と結び、浮上した水面のスラヴ（１３）が水流に流されないように水面の元の位置に留まった儘、水面上のスラヴ（１３）の垂直運動に同調して、スラヴ（１３）上に建設された建築物（１４）の囲い塀（１７）に遮蔽されて水浸を防止する新築、或いは既設に拘らず地面（８）を震動する円柱筒（２）外壁に接触するタービンブレイドを風力又は水力で回転させて発電させる発電ビルの免震脚台（１８）で震動を吸収する発電ビル免震台脚（１８）です。
【手続補正４】
【補正対象書類名】図面
【補正対象項目名】図１
【補正方法】変更
【補正の内容】
【図１】
2014122530.tif 000009